(57)【要約】【課題】  簡単な構造であって低コストで製造可能であるにも拘わらず、種々な直径の杖を確実に保持可能な杖ホルダーを提供すること。【解決手段】  前方側に開口する溝が形成されたホルダー本体を具備し、上記溝内にて杖を縦に保持する杖ホルダーであって、３本の杖保持用弾性線を各々湾曲させて３つの湾曲部を形成し、上記溝内において３つの湾曲部の凸部側が各々内側方向を向いた状態で近接するように、上記各弾性線の各両端部を上記溝周囲の上記ホルダー本体下面に固定し、これにより３つの湾曲部で囲まれた杖保持用の空間を形成し、上記開口から上記空間内に挿入された杖の周側面の３箇所に、上記各湾曲部を弾性的に当接させることにより上記杖を上記溝内にて保持し得るように構成する。【選択図】  図２
0003173286.tif 000002
【実用新案登録請求の範囲】
【請求項１】
前方側に開口する凹状の溝が形成された水平なホルダー本体を具備し、上記溝内にて杖を縦方向に保持する杖ホルダーであって、
３本の杖保持用弾性線を各々湾曲させて３つの湾曲部を各々形成し、上記溝内において上記３つの湾曲部の凸部側が各々内側方向を向いた状態で、かつ若干下方に傾斜した状態で近接するように上記各杖保持用弾性線の各両端部を上記溝周囲の上記ホルダー本体に固定し、これにより上記３つの湾曲部で囲まれた杖保持用の空間を形成し、
上記開口から上記溝内の上記空間内に挿入された上記杖の周側面の３箇所に、上記各湾曲部の凸部側を弾性的に当接させることにより、上記杖保持用弾性線によって上記杖を上記溝内に保持し得るように構成し、
かつ上記ホルダー本体を被固定部材に固定する固定手段を設けたものであることを特徴とする杖ホルダー。
【請求項２】
上記杖保持用弾性線はナイロン線であることを特徴とする請求項１記載の杖ホルダー。
【請求項３】
上記溝内の上記杖保持用弾性線の上記各湾曲部は、２つの湾曲部が両凸部を近接対向配置することにより両凸部間に近接対向部が形成され、該近接対向部が上記開口に向かうように位置しており、
他の１つの湾曲部がその凸部が上記近接対向部に対向するように上記溝の後部側に配置されており、
上記２つの湾曲部の上記近接対向部と上記他の１つの湾曲部との間に上記杖保持用の空間が形成されるように構成したものであることを特徴とする請求項１又は２記載の杖ホルダー。
【請求項４】
上記固定手段は、取付板と該取付板に対して上記ホルダー本体を上下方向に回動可能に接続する回動保持手段と、上記取付板を上記被固定部材に固定する固定部材とから構成したものである請求項１〜３の何れかに記載の杖ホルダー。
【請求項５】
上記固定部材は、上記被固定部材に上記取付板を固定するための結束バンドである請求項４記載の杖ホルダー。
【考案の詳細な説明】
【技術分野】
【０００１】
本考案は、病院、福祉施設等において、机、ベッド、車椅子等に容易に設置でき、杖を保持することが可能な杖ホルダーに関するものである。
【背景技術】
【０００２】
従来、病院、福祉施設等において、杖を必要とする患者、入所者等は、個室等においては、杖をベッドのパイプ枠に掛けたり、食事中はテーブルに立て掛けており、車椅子の患者は杖を膝の上に置いていた。
【０００３】
しかしながら、これらの杖は床に落ち易いため、床に落ちた杖で躓く場合があるし、床に落ちた杖を拾う際に身体に負担を生じていた。また、車椅子で移動中に、杖が他人に当たる場合があり危険であった。
【０００４】
このような事態に鑑みて、従来、杖を保持するための杖ホルダーがいくつか提案されている（特許文献１，２，３，４）。
【先行技術文献】
【特許文献】
【０００５】
【特許文献１】特開２０１０−８２３５２号
【特許文献２】特開２００４−５７４２２号
【特許文献３】特開２００４−３１３６７５号
【特許文献４】実用新案登録第３１１８９５７号
【考案の概要】
【考案が解決しようとする課題】
【０００６】
ところで、特許文献２，３の杖ホルダーは、一定幅の「コ」字状の保持部内にて杖を保持するものであるため、保持できる杖の直径が限定されており、よって、例えばより細い直径の杖は保持することができないとの課題がある。
【０００７】
また、特許文献１，４の杖ホルダーは、杖の保持部の幅が変化する構成であるため、ある程度の杖の直径の変化には対応可能であると考えられるが、保持部の可動部の構成が極めて複雑であるため、高コストになる、との課題がある。
【０００８】
本考案は、上記従来の課題に鑑みてなされたものであり、非常に簡単な構造であって低コストで製造可能であるにも拘わらず、種々な直径の杖をも確実に保持可能な杖ホルダーを提供することを目的とする。
【０００９】
また、本考案は、色々な取り付け場所に確実に固定することができ、ホルダー本体を折り畳み可能であって邪魔にならない杖ホルダーを提供することを目的とするものである。
【課題を解決するための手段】
【００１０】
上記の目的を達成するため本考案は、
第１に、前方側に開口する凹状の溝が形成された水平なホルダー本体を具備し、上記溝内にて杖を縦方向に保持する杖ホルダーであって、３本の杖保持用弾性線を各々湾曲させて３つの湾曲部を各々形成し、上記溝内において上記３つの湾曲部の凸部側が各々内側方向を向いた状態で、かつ若干下方に傾斜した状態で近接するように上記各杖保持用弾性線の各両端部を上記溝周囲の上記ホルダー本体に固定し、これにより上記３つの湾曲部で囲まれた杖保持用の空間を形成し、上記開口から上記溝内の上記空間内に挿入された上記杖の周側面の３箇所に、上記各湾曲部の凸部側を弾性的に当接させることにより、上記杖保持用弾性線によって上記杖を上記溝内に保持し得るように構成し、かつ上記ホルダー本体を被固定部材に固定する固定手段を設けたものであることを特徴とする杖ホルダーにより構成される。
【００１１】
従って、杖の周側面の３箇所に上記３つの杖保持用弾性線の各湾曲部の凸部が弾性的に当接するため、これら３つの杖保持用弾性線によって上記溝内において杖を確実に保持することができる。また、３つの杖保持用弾性線の３つの湾曲部で囲まれる杖保持用の空間内で上記各湾曲部の弾性力を利用して杖の周側面を保持するものであるから、上記杖の直径の大小は各杖保持用弾性線の弾性によって吸収することができるため、各種の直径の大きさの杖を確実に保持することができる。上記固定手段は例えば杖ホルダーの固定支持部（９）、当該固定支持部（９）の保持具（１２）、上記保持具（１２）を固定する取付板（１３）及び結束バンド（１６）等により構成することができる。
【００１２】
第２に、上記杖保持用弾性線はナイロン線であることを特徴とする上記第１の杖ホルダーにより構成される。
【００１３】
このように杖保持用弾性線をナイロン線とすることにより、各種の直径の杖を保持し得る杖ホルダーを低コストで実現することができる。
【００１４】
第３に、上記溝内の上記杖保持用弾性線の上記各湾曲部は、２つの湾曲部が両凸部を近接対向配置することにより両凸部間に近接対向部が形成され、該近接対向部が上記開口に向かうように位置しており、他の１つの湾曲部がその凸部が上記近接対向部に対向するように上記溝の後部側に配置されており、上記２つの湾曲部の上記近接対向部と上記他の１つの湾曲部との間に上記杖保持用の空間が形成されるように構成したものであることを特徴とする上記第１又は２記載の杖ホルダーにより構成される。
【００１５】
このように構成すると、上記開口から上記溝内に杖を挿入すると、杖は上記近接対向部の内側の杖保持用の空間内に３つの湾曲部の弾性力により保持され、当該杖は上記近接対向部の閉鎖によって開口方向への抜け止めがなされるため、当該杖を確実に保持することができる。
【００１６】
第４に、上記固定手段は、取付板と該取付板に対して上記ホルダー本体を上下方向に回動可能に接続する回動保持手段と、上記取付板を上記被固定部材に固定する固定部材とから構成したものである第１〜３の何れかに記載の杖ホルダーにより構成される。
【００１７】
このように構成すると、取付板を以って杖ホルダーを車椅子等の被固定部材に固定することができ、また固定状態において上下方向に角度調整が可能であり、各種の被固定部材に的確に取り付け可能である。上記回動保持手段は、杖ホルダーの固定支持部（９）、当該固定支持部（９）を水平回転軸（Ｃ１）を中心として上下方向に回動可能に支持する保持部（１２）（水平回動用支持部（１２ｂ，１２ｂ））により構成することができる。
【００１８】
第５に、上記固定部材は、上記被固定部材に上記取付板を固定するための結束バンドである第４記載の杖ホルダーにより構成される。
【考案の効果】
【００１９】
上述のように、本考案によると、杖保持用弾性線の湾曲部の弾性力を利用することにより、非常に簡単な構造であって、各種の直径の杖を確実に保持可能な杖ホルダーを低コストで実現することができる。
【００２０】
また、杖ホルダーを上下方向に角度調節可能であるため、各種の被固定部材に確実に固定することができ、例えば杖ホルダーを上方に回動することにより、折り畳みも可能な杖ホルダーを実現することができる。
【００２１】
また、被固定部材が傾斜していたとしても、回動保持手段により杖ホルダーを適切な角度で固定することができる。
【図面の簡単な説明】
【００２２】
【図１】本考案に係る杖ホルダーの分解斜視図である。
【図２】同上杖ホルダーの組み立て状態の斜視図である。
【図３】同上杖ホルダーの平面図である。
【図４】（ａ）（ｂ）は同上杖ホルダーの杖保持用弾性線の端部の拡大断面図である。
【図５】同上杖ホルダーの正面図である。
【図６】（ａ）は同上杖ホルダーで杖を保持した状態の平面図、（ｂ）は同上杖ホルダーで直径の異なる杖を保持した状態の平面図である。
【図７】同上杖ホルダーで杖を保持した状態の側面図である。
【図８】同上杖ホルダーの上下回動を示す側面図である。
【図９】同上杖ホルダーの他の実施形態を示す斜視図である。
【考案を実施するための形態】
【００２３】
以下、添付図面に基づいて本考案の杖ホルダーを詳細に説明する。
【００２４】
尚、以下の説明において、図１においてホルダー本体２の開口２ｃ’の方向を「前方」、ホルダー本体２のネジ１０の方向を「後方又は背面」、前方から後方を向いた左右方向を「左右方向」、左右方向に直交する方向を「上下方向」という。
【００２５】
図１は本考案に係る杖ホルダー１の分解斜視図である。かかる図において、２はホルダー本体であり、厚み略５ｍｍの硬質の樹脂製板を平面視アルファベットの略「Ｃ」字状に加工したものである。
【００２６】
より具体的には、当該ホルダー本体２には、その前方側に平行な対向面２ａ，２ａ’及び両対向面２ａ，２ａ’の後方側を連続する湾曲面２ｂにより略Ｕ字に近い凹状の溝２ｃが形成されており、当該凹状の溝２ｃを形成することによって本体２の左右には、前方突出部２ｄ”，２ｄ”を有する左右対称形状の腕部２ｄ，２ｄが形成され、当該腕部２ｄ，２ｄの外側は外方向に凸状の緩やかな湾曲面２ｄ’，２ｄ’が形成されている。尚、上記溝２ｃの前方側開口を開口２ｃ’という。
【００２７】
上記ホルダー本体２の背面は、本体の湾曲面２ｄ’, ２ｄ’を左右方向にカットする直線部２ｅが構成されており、後述の取付板１３前面との間に間隔ｔ１が形成されるように構成されている（図３参照）。
【００２８】
上記溝２ｃは上記湾曲面２ｄ’，２ｄ’を曲率とする円の中心Ｏ（図３参照）よりも後方側まで切り込み形成されており、当該溝２ｃ内において杖８を、上記円の略中心部に保持し得るように構成されている（図３中一点鎖線参照）。
【００２９】
上記ホルダー本体２の下面２ｆにおける上記溝２ｃ周囲には、３本のナイロン線からなる杖保持用弾性線５，６，７が取り付けられている（図３参照）。より具体的には、上記溝２ｃの上記対向面２ａ，２ａ’に沿う上記下面２ｆ側の各々２箇所（合計４箇所）に、杖保持用の弾性線固定孔４ａ，４ａ（２ａ’側）、４ｂ，４ｂ（２ａ側）が凹設されている。さらに、上記湾曲面２ｂより後方側の上記下面２ｆの左右２箇所に弾性線固定孔４ｃ，４ｃが凹設されている。
【００３０】
ここで、上記弾性線固定孔４ａ，４ｂは、各々上記対向面２ａ，２ａ’側から外周方向（左右方向、矢印Ａ，Ａ方向、矢印Ａ’，Ａ’方向）に沿うように、かつ本体２内部には斜め上方向となるように（図４（ａ）参照）、上記下面２ｆに対して３０度（＝θ２）の角度で内部方向に凹設されている。従って、上記対向面２ａ側の弾性線固定孔４ｂ，４ｂは、本体２内部の方向には、互いに同一角度（下面２ｆに対して３０度（＝θ２））の平行な斜め上方向に凹設されており（図４（ａ）参照）、上記対向面２ａ’側の弾性線固定孔４ａ，４ａも、本体２内部の方向には、互いに同一角度（下面２ｆに対して３０度（＝θ２））の平行な斜め上方向に凹設されている（図４（ａ）参照）。また、上記各孔４ｂ，４ｂ（４ａ，４ａ）の左右方向の形成方向は各々矢印Ａ，Ａ方向（矢印Ａ’，Ａ’方向）であり、固定孔４ａ，４ａは左右方向に互いに平行に、固定孔４ｂ，４ｂにおいても左右方向に互いに平行となるように形成されている。
【００３１】
また図３に示すように、上記弾性線固定孔４ａと４ｂの形成位置は中央水平二分割線Ｐから何れも等距離であり、かつ弾性線固定孔４ａ，４ａ間の距離と、上記弾性線固定孔４ｂ，４ｂ間の距離は同一であるから、上記固定孔４ａ，４ａと上記固定孔４ｂ，４ｂは上記二分割線Ｐに対して左右対称位置となるように構成されている。
【００３２】
上記弾性線固定孔４ｃ，４ｃは、図３に示すように、互いに平行ではなく、各々上記湾曲面２ｂから後方側の、上記二分割線Ｐから左右方向に等距離の位置において、左右斜め後方（矢印Ｂ方向及び矢印Ｂ’方向）に沿って互いに所定の開き角度（二分割線Ｐに対して左右方向に各々３０度（＝θ１）の角度）を以って凹設されている。そして、この弾性線固定孔４ｃ，４ｃは図４（ｂ）に示すように、本体２の内部方向には、上記固定孔４ａ，４ｂと同様に、下面２ｆに対して３０度（＝θ２）の角度で斜め上方向に凹設されている。
【００３３】
そして、上記弾性線固定孔４ｂ，４ｂには所定長さの上記杖保持用弾性線５の両端部５ａ，５ａを挿入し接着固定することにより、当該弾性線５を対向面２ａ’の方向に湾曲した右向きの湾曲部５ｂ（凸部）を形成した状態で、かつ当該弾性線５の湾曲部５ｂ側が上記下面２ｆに対して下向き斜め方向に３０度（＝θ２）傾斜した状態で固定する（図５参照）。
【００３４】
さらに、上記弾性線固定孔４ａ，４ａに所定長さ（上記弾性線５と同一長さ）の上記杖保持用弾性線６の両端部６ａ，６ａを挿入し接着固定することにより、当該弾性線６を対向面２ａの方向に湾曲した左向きの湾曲部６ｂ（凸部）を形成した状態で、かつ当該弾性線６の湾曲部６ｂ側が上記下面２ｆに対して下向き斜め方向に３０度（＝θ２）傾斜した状態で固定する（図５参照）。
【００３５】
ここで、上記杖固定用弾性線５，６の各湾曲部５ｂ，６ｂは同一の曲率半径を有しており、何れの湾曲部５ｂ，６ｂも、上記ホルダー本体２の中央水平二分割線Ｐを超えることがなく、上記湾曲部５ｂ，６ｂ間に若干の間隔（近接対向部）ｔ２（図１参照）が形成されるように構成することが好ましい。尚、上記湾曲部５ｂ，６ｂは接触しても良い。
【００３６】
さらに、上記弾性線固定用孔４ｃ，４ｃには所定長さの上記杖保持用弾性線７の両端部７ａ，７ａを挿入し接着固定することにより、当該弾性線７を上記溝２ｃの開口２ｃ’の方向（前方）に湾曲した前向きの湾曲部７ｂ（凸部）を形成した状態で、かつ当該弾性線７の湾曲部７ｂ側が上記下面２ｆに対して下向き斜め方向に３０度（＝θ２）傾斜した状態で固定する。ここで、固定孔４ｃ，４ｃ間の距離は、上記固定孔４ａ，４ａ間（上記固定孔４ｂ，４ｂ間も同じ）の距離よりも長く、また、上記固定孔４ｃ，４ｃは矢印Ｂ，Ｂ’方向に後方向きに一定の開き角度を以って設けられているので、上記弾性線７の湾曲部７ｂの曲率半径は上記湾曲部５ｂ，６ｂの曲率半径よりも大きい湾曲部となっている。
【００３７】
上記構成により互いに対向する杖保持用弾性線５，６の後方側と上記杖保持用弾性線５，６とは直交する方向の杖保持用弾性線７の前方側によって形成された空間に杖保持用の空間Ｓが形成されるように構成されている。
【００３８】
このように、上記溝２ｃ内において上記３つの湾曲部５ｂ，６ｂ，７ｂの凸部側が各々内側方向を向いた状態で、かつ若干下方に傾斜した状態で近接するように上記各杖保持用弾性線５，６，７の各両端部５ａ，６ａ，７ａを上記溝２ｃ周囲の上記ホルダー本体（下面２ｆ）に固定し、これにより上３つの湾曲部５ｂ，６ｂ，７ｂで囲まれた杖保持用の空間Ｓを形成し、上記開口２ｃ’から上記溝２ｃ内の上記空間Ｓ内に挿入された杖８の周側面８ａの３箇所に、上記各湾曲部５ｂ，６ｂ，７ｂの凸部側を弾性的に当接させることにより、上記杖保持用弾性線５，６，７によって上記杖８を上記溝２ｃ内に保持し得るように構成する。
【００３９】
即ち、上記溝２ｃ内の杖保持用弾性線５，６，７の上記各湾曲部５ｂ，６ｂ，７ｂは、２つの湾曲部５ｂ，６ｂが両凸部を近接対向配置することにより両凸部間に近接対向部ｔ２が形成され、該近接対向部ｔ２が上記開口２ｃ’に向かうように位置しており、他の１つの湾曲部７ｂがその凸部が上記近接対向部ｔ２に対向するように上記凹部（溝２ｃ）の後部側に配置されており、上記２つの湾曲部５ｂ，６ｂの上記近接対向部ｔ２と上記他の１つの湾曲部７ｂとの間に上記杖保持用の空間Ｓが形成されるように構成したものである。
【００４０】
上記各杖固定用弾性線５，６，７は上述のように、上記ホルダー本体２の下面２ｆから３０度の角度下向きに傾斜した状態で固定されており、当該位置から下向きの力Ｆ（図４、図５参照）が作用すると、上記湾曲部５ｂ，６ｂ，７ｂの湾曲状態を保持したまま、上記各端部５ａ，６ｂ，７ａを支点として上記角度（θ２）を増大する方向（下向き）に変形し、当該変形状態においては、常時、上記傾斜角度θ２が３０度の初期位置に復帰する方向（上向き）の弾性復帰力が作用するように構成されている。
【００４１】
そして、上記空間Ｓにおいて、各湾曲部５ｂ，６ｂ，７ｂに接する最小円Ｉ（図３参照）の直径よりも大きい直径の杖８を当該空間Ｓに挿入すると、上記各湾曲部４ｂ，５ｂ，６ｂの凸部側は上記杖８の周側面８ａの周方向の略６０度毎の３箇所に当接することで下向きの力Ｆを受け上記下方向に変形し、その結果、各湾曲部５ｂ，６ｂ，７ｂの凸部側の一部（ｒ１，ｒ２，ｒ３、図６（ａ）参照）が上記杖８の周側面８ａに弾性的に当接して当該杖８を保持し得るように構成されている。
【００４２】
上記杖保持用弾性線５は直径が約１．２５ｍｍのナイロン線であり、図３に示すように湾曲部５ｂ，６ｂ，７ｂを形成してその両端部５ａ，６ａ，７ａを固定すると、各湾曲部５ｂ，６ｂ，７ｂはその外部から湾曲を変形させるような力が加わっても湾曲形状は容易に変形することがなく、ピンと張り詰めた緊張状態を維持している。そして、上記溝２ｃの前方側から上記空間Ｓ内に上記最小円Ｉより直径の大きい杖８を挿入したとき、上記各弾性線５，６，７は上記湾曲部５ｂ，６ｂ，７ｂの形状を殆ど変形することなく、各一対の両端部５ａ，５ａ、６ａ，６ａ、７ａ，７ａを支点として下向きの傾斜角度θ２を平常時の３０度より増大した状態で、各湾曲部５ｂ，６ｂ，７ｂの凸部側の一部ｒ１，ｒ２，ｒ３が杖８の周側面８ａに弾性的に当接した状態となり、上記杖８は上記３箇所の当接部にて上記弾性線５，６，７の弾性復帰力により確実に保持されるように構成されている。
【００４３】
尚、図１において上記ホルダー本体２の後方板面には上下方向の貫通孔２ｇが設けられている。
【００４４】
９は略立方体形状の固定支持部であり、上記ホルダー本体２の後端部の下面２ｆに固着されるものである。この固定支持部９は上下方向のネジ孔９ａを有しており、上記ホルダー本体２を固定するためのネジ１０を上記ホルダー本体２の上記貫通孔２ｇを介して上記ネジ孔９ａに螺合することにより上記ホルダー本体２と一体化されるものである。この固定支持部９には左右方向の水平回転軸Ｃ１としてのネジ１１を挿通するための左右方向の水平貫通孔９ｂが貫設されている。
【００４５】
１２は金属製の保持具であり、後述の取付板１３に固定するための直立基板１２ａと、該直立基板１２ａの両側から前方に向けて突出した一対の水平回動用支持部１２ｂ，１２ｂとから構成されている。上記直立基板１２ａにはその中央部に前後方向の水平回転軸Ｃ２としてのネジ１４を挿通するための前後方向の貫通孔１２ａ’が貫設されており、かつ上記一対の水平回動用支持部１２ｂ，１２ｂには左右方向の水平回転軸Ｃ１としてのネジ１１を挿通するための左右方向の貫通孔１２ｂ’，１２ｂ’が貫設されている。
【００４６】
よって、図１に示すように、上記ホルダー本体２の後端の下面２ｆに上記固定支持部９の上面９ｃを宛がい、ネジ１０を貫通孔２ｇを介して上記固定支持部９のネジ孔９ａに螺合させることにより、上記固定支持部９を上記ホルダー本体２後部下面２ｆに固着することができる。
【００４７】
また、上記保持具１２の水平回動用支持部１２ｂ，１２ｂの間に上記固定支持部９を位置させ、水平回転軸Ｃ１としてのネジ１１を上記貫通孔１２ｂ’、上記水平貫通孔９ｂ、貫通孔１２ｂ’に挿通し、ナットＮを以ってネジ１１を締め付けることにより、上記保持具１２を上記固定支持部９に固定することができる。この状態において、上記ホルダー本体２は上記保持具１２に対して上記水平回転軸Ｃ１を中心として上下方向に角度調整し得るように構成されている（図８参照）。
【００４８】
１３は取付板であり、前面側に左右方向の直線凹溝１３ａが凹設されると共に、上記水平回転軸Ｃ２としての上記ネジ１４のネジ孔１３ｂが前後方向に形成されている。上記直線凹溝１３ａ内に結束バンド１６を嵌合した状態で、上記保持具１２の背面１２ｃを上記取付板１３の前面に宛い、その状態で上記ネジ１４を上記貫通孔１２ａ’を介して上記ネジ孔１３ｂにネジ込むことで、上記保持具１２を上記取付板１３に固定することができる。このとき、上記直線凹溝１３ａの前面側は上記保持具１２の背面１２ｃによって閉鎖され、上記結束バンド１４を上記直線凹溝１３ａに保持し得る。上記取付板１３の背面には弾性体からなる衝撃吸収材１５が固定され、被固定部材の傷付き等を防止し得るように構成されている。
【００４９】
そして、この状態においては、上記ホルダー本体２は水平回転軸Ｃ２を中心とした回転（左右）方向（矢印Ｃ，Ｄ方向、図５参照）に角度調整し得るように構成されている。
【００５０】
本考案に係る杖ホルダーは上述のように構成されているので、次にその機能について説明する。
【００５１】
まず上記杖ホルダー１の衝撃吸収材１５を車椅子の縦方向支柱１７に宛がい（図７参照）、その状態で結束バンド１６を上記支柱１７に巻き付けて強く結束し、当該ホルダー１を上記支柱１７に固定する（図７参照）。
【００５２】
このとき、上記ホルダー本体２は取付板１３に対して直交した水平状態となっているので、杖８を保持するには、当該杖８を立てた縦状態で、その周側面８ａをホルダー１の開口２ｃ’から溝２ｃの方向に押し込めば良い（図３、図７矢印Ｅ参照）。
【００５３】
すると、杖８の側面８ａはまず杖保持用弾性線５，６の湾曲部５ｂ，６ｂの前面部に当接するが、さらに杖８を矢印Ｅ方向（図７参照）に押し込んで行くと、杖８は図６（ａ）に示すように、上記杖保持用弾性線５，６，７の各湾曲部５ｂ，６ｂ，７ｂの３箇所（ｒ１，ｒ２，ｒ３）が周方向に略６０度の角度毎に略均等に弾性的に当接した状態で、上記空間Ｓの略中央部に保持される。尚、図６（ａ）において、杖保持前の杖保持用弾性線５，６，７の位置を二点鎖線、杖保持後の杖保持用弾性線５，６，７の位置を実線で示す。
【００５４】
より具体的には、杖８を矢印Ｅ方向に押し込んで行くと、上記各弾性線５，６は上記杖８の周側面８ａによってその間隔（近接対向部）ｔ２を押し広げられ、上記各両端部５ａ，５ａ、６ａ，６ａを支点として一旦大きく下方に傾動するが、上記杖８が図６（ａ）に示す上記空間Ｓ内の中央部に至ると、上記杖保持用弾性線５，６は再度上方に若干傾動復帰し、その湾曲部５ｂ，６ｂが上記杖８の周側面８ａに当接した位置（図６（ａ）の実線位置）で停止する。
【００５５】
このとき、杖８の後方側の側面は上記杖保持用弾性線７に当接し、当該弾性線７も下方に傾動した状態でその湾曲部７ｂを上記杖８の後方側周側面８ａに弾性的に当接した状態となっている。このときの杖保持用弾性線７の位置を図６（ａ）実線で示す。
【００５６】
このように上記杖８を保持した状態においては、上記各杖保持用弾性線５，６，７は上記ホルダー本体２の下面２ｆに対して３０度傾斜した初期位置（図６（ａ）に二点鎖線で示す位置）から、上記角度θ２を増大する方向に下方に傾斜した状態（図６（ａ）の実線位置）となっており、当該位置における上方側への弾性復帰力を以って上記杖８の周側面８ａに当接した状態となっている。
【００５７】
従って、上記杖８は、上記３つの杖保持用弾性線５，６，７によって周側面８ａの均等間隔の３箇所（ｒ１，ｒ２，ｒ３）を保持され、当該弾性線５，６，７によって安定的に支持される。また、上記杖８の前方側の周側面８ａは左右方向から杖保持用弾性線５，６の湾曲部５ｂ，６ｂによって確実に支持されているので、前方側に倒れることはなく、安定して保持することができる。よって、車椅子への乗車時等において、杖８の置き場に困ることはなく、杖８を安定して収納することができる。
【００５８】
従って、図７に示すように、ホルダー本体２を取付板１３に対して直交した状態（水平状態）で使用する場合は、車椅子の支柱１７（鉛直方向とする）に取付板１３後面の衝撃吸収材１５を宛がい、結束バンド１６を支柱１７の後方に回して当該バンド１６を強く結束すれば良い（図３、図７の結束バンド１６の二点鎖線参照）。このように構成することで、図３、図７に示すように、杖ホルダー１を上記支柱１７に固定することができる。このとき、ホルダー本体２は、支柱１７に対して直交方向、即ち水平となるように位置している。
【００５９】
この状態において、杖８を上記杖ホルダー１の開口２ｃ’から溝２ｃ内に矢印Ｅ方向に挿入すれば良い。
【００６０】
上記杖８の外周側面８ａを上記溝２ｃ内に挿入していくと、上記周側面８ａは杖保持用弾性線５，６の湾曲部５ｂ，６ｂの前方側に当接し、これらの断線線５，６間の間隔（近接対向部）ｔ２を押し広げながら後方に押し込んで行く。このとき、上記弾性線５，６は初期位置（下面２ｆに対して３０度の傾斜角度）から各両端部５ａ，６ａを支点に下方にその傾斜角度を増大しながら上記間隔ｔ２が押し広げられ、上記杖８が空間Ｓ内に位置したとき、上記弾性線５，６はその弾性復帰力によって上記各両端部５ａ，６ａを支点に上方に回動復帰するが、上記初期位置に復帰することなく、各湾曲部５ｂ，６ｂの一部ｒ１，ｒ２を上記杖８の周側面８ａに所定の弾性復帰力で当接した状態となる。
【００６１】
また、このとき上記杖８の後方側の周側面８ａが上記杖保持用弾性線７を後方側に押圧した状態であり、上記弾性線７は上記初期位置（下面２ｆに対して下向き３０度の傾斜した状態）から下向きに押圧され、両端部７ａ，７ａを支点に下方にその傾斜角度を増大した状態となっているので、上記弾性線７の湾曲部７ｂの中央部（ｒ３）が当該弾性線７の初期位置への弾性復帰力を以って上記杖８の後方側の周側面８ａに当接した状態となっている。
【００６２】
そして、上記弾性線５，６間の間隔（近接対向部）ｔ２は一旦押し広げられるが、上記杖８が上記空間Ｓ内に収容された状態においては、再び上記杖８の直径より小の間隔（近接対向部）ｔ２’まで閉じられて（図６（ａ））、上記杖８の溝２ｃの開口２ｃ’から外側への脱落が阻止される（図６（ａ）参照）。
【００６３】
かかる状態においては、杖８はその周側面８ａの周方向に均等の略６０度毎の位置ｒ１，ｒ２，ｒ３において、上記弾性線５，６，７の湾曲部５ｂ，６ｂ，７ｂが各弾性線５，６，７の弾性復帰力を以って当接した状態となっているので、上記杖８は上記各弾性線５，６，７によって確実に保持され、かつ溝２ｃの開口２ｃ’方向は対向する弾性線５，６の湾曲部５ｂ，６ｂがその間隔を杖８の直径より小さい間隔（近接対向部）ｔ２’まで弾性復帰しているので、杖８は開口部２ｃ’から前方側に倒れることはなく、安定して上記溝２ｃ内に保持することができる。
【００６４】
また、杖８の直径は、図３の最小円Ｉより大であれば、図６（ｂ）に示すように、図６（ａ）に示す杖８の直径よりも小さい直径の杖８であっても、上記と同様の作用によって、上記空間Ｓ内において安定して当該杖８を保持することができる。
【００６５】
従って、上記最小円Ｉの直径より大きい直径を有する杖８であれば、杖の直径の大小に拘わらず当該杖ホルダー１にて安定して杖８を保持することができる。
【００６６】
尚、図８に示すように、杖ホルダー１の被固定部材１８が鉛直方向から傾斜している場合は、ネジ１１を緩めて水平回転軸Ｃ１を中心としてホルダー本体２を矢印Ｇ方向（又はＨ方向）（上下方向）に角度調整することにより、上記ホルダー本体２を水平に位置させることができ、これにより被固定部材１８の角度に拘わらず、杖８を鉛直方向に安定して保持することができる。勿論、図５に示すように、ネジ１４を緩めてホルダー本体２を中心軸Ｃ２を中心として矢印Ｃ，Ｄ方向（左右方向）に角度調整して、最適な角度位置にて杖８を保持することができる。
【００６７】
図９に示すものは本考案に係る杖ホルダー１の他の実施形態であり、取付板１３の面積を大きくして取付板１９としたものである。この取付板１９はその正面側に例えば「杖ホルダー」等の表示するものであり、当該取付板１９を例えば老人ホームの壁面等に接着固定する。
【００６８】
このように構成すると、杖ホルダー１の存在を明確に表示することができ、老人等が容易に当該杖ホルダー１に杖８を保持することができる。
【００６９】
尚、本考案に係る杖ホルダー１の被固定部材として車椅子、壁面等を例示したが、被固定部材としてはこれらに限らず、テーブルの支柱、通常の椅子の支柱等、杖を保持する必要のある物、場所等が含まれることは勿論である。
【００７０】
また、本考案に係る杖ホルダー１は、保持する部材は「杖」に限定されず、例えば掃除用のほうき、モップ、ゴルフクラブ等、棒状部材の柄の部分を確実に保持することができる。
【００７１】
上述のように、本考案によると、非常に簡単な構造であって、各種の直径の杖８を確実に保持可能な杖ホルダーを低コストで実現することができる。
【００７２】
また、杖ホルダーを上下方向に角度調節可能であるため、各種の被固定部材に的確に固定することができ、例えば杖ホルダーを上方に回動することにより、鉛直方向に平行位置まで折り畳み可能な杖ホルダーを実現することができる。
【００７３】
また、被固定部材が傾斜していたとしても、回動保持手段により杖ホルダー８を適切な角度で固定することができる。
【００７４】
また、ホルダー本体２を水平回転軸Ｃ１，Ｃ２の周りに回転させることができるので、固定対象物の位置、傾斜角度に拘わらず、ホルダー本体２を最適の角度に固定できる。
【産業上の利用可能性】
【００７５】
本考案に係る杖ホルダーは、病院、老人施設、福祉施設等に限らず、杖を必要とする人が集まる場所（ホテル、ショッピングセンター等）及び自宅においても広く利用できるものである。また、杖に限らず、掃除用のモップ等、棒状部材のホルダーとしても用いることができる。
【符号の説明】
【００７６】
１                杖ホルダー
２                ホルダー本体
２ｃ              溝
２ｃ’            開口
５，６，７        杖保持用弾性線
５ａ，６ａ，７ａ  両端部（端部）
５ｂ，６ｂ，７ｂ  湾曲部
８                杖
８ａ              周側面
９                固定支持部
１２              保持具
１２ｂ            水平回動用支持部
１２ｂ’          貫通孔
１３              取付板
１６              結束バンド
１７              縦方向支柱
１８              被固定部材
１９              取付板
Ｃ１              水平回転軸
ｔ２              間隔（近接対向部）
Ｓ                杖保持用の空間
【図１】
0003173286.tif 000003
【図２】
0003173286.tif 000004
【図３】
0003173286.tif 000005
【図４】
0003173286.tif 000006
【図５】
0003173286.tif 000007
【図６】
0003173286.tif 000008
【図７】
0003173286.tif 000009
【図８】
0003173286.tif 000010
【図９】
0003173286.tif 000011